(57)【特許請求の範囲】
【請求項１】
トラス及び循環駆動する踏段を備えた乗客コンベアに取り付ける仮設手摺取付治具であって、
当該仮設手摺取付治具が、トラスに取り付けるためのトラス取付部と、トラスに対して上方に立設する支柱を取り付けるための支柱取付部とを備え、
前記トラス取付部を取り付けるトラスが、トラス内方側へ延設された水平板部を有し、
前記支柱取付部が、トラスを構成する水平板部と反対方向に延設された水平支持板と、当該水平支持板の上面に設けた支柱を嵌合するための嵌合筒部とを備え、
前記嵌合筒部が、その周面に凹部が形成され、該凹部は、嵌合筒部の頂部から垂直方向に一定距離の間に形成された広幅凹部と、該広幅凹部の下部に連続して水平方向に形成され、頂部には達しない細幅凹部とから構成され、
支柱は、その内周面にピンが設けられており、当該ピンは、支柱を嵌合筒部に嵌め込んだときに広幅凹部に入り込み、嵌合筒部に対して支柱を回すと広幅凹部に入り込んだピンは細幅凹部に移行して、嵌合筒部に対して支柱が上方に抜け出ないように構成されている
ことを特徴とする仮設手摺取付治具。
【請求項２】
前記トラス取付部が、進退可能に構成された水平把持部を備え、
前記水平把持部が、トラスを構成する水平板部の自由端を把持する水平フック部を有する
ことを特徴とする請求項１に記載の仮設手摺取付治具。
【請求項３】
前記トラス取付部を取り付けるトラスが、トラス下方側へ延設された垂直板部を有し、
前記トラス取付部が、垂直板部を把持する垂直把持部を有し、
前記垂直把持部が、トラスを構成する垂直把持部の自由端を把持する垂直フック部を有する
ことを特徴とする請求項２に記載の仮設手摺取付治具。
【発明の詳細な説明】
【技術分野】
【０００１】
本発明の実施形態は、乗客コンベアのトラスに仮設手摺を取り付けるための仮設手摺取付治具に関する。
【背景技術】
【０００２】
乗客コンベア、例えばエスカレータの据付時には、踏段などが取り付けられたトラスが建屋の下階から上階に架け渡して取り付けられ、その後に欄干などの取付作業が行われる。このトラスが取り付けられた時点においては、トラスの左右には下階の床面まで開口している場合が多く、トラス上での作業は、作業者の落下事故などの危険を伴うものであった。
【０００３】
そのため、従来より、欄干が取り付けられるまでは、傾斜した中間トラスの幅方向左右に配された傾斜梁に、上から下まで適宜間隔をおいて垂直支柱を複数立設し、この垂直支柱に縄を架け渡して、作業者に高所作業であることの注意喚起を行っていた。
【０００４】
しかしながら、このような垂直支柱は縄を架け渡す程度の簡易なものであり、注意喚起の効果は期待できても、作業者が倒れかかった場合に、これを支える十分な強度を有するものではなく、作業者の落下防止として機能しない。
【０００５】
また、エスカレータの踏段上に立設する作業用足場が知られており、当該足場は、その支持柱を踏段上に載置し、当該支持柱に、踏段の傾斜と平行になるように足場用手摺を兼ねる連結腕を配置したものである。
【０００６】
しかしながら、上記のような作業用足場は、踏段上に載置するだけであるため、安定性が劣るので、作業者の安全面から見ると万全のものではなかった。
【先行技術文献】
【特許文献】
【０００７】
【特許文献１】特開２００９−２３４７５４号公報
【特許文献２】特開２００３−２６３８６号公報
【発明の開示】
【発明が解決しようとする課題】
【０００８】
本発明が解決しようとする課題は、乗客コンベアの据付時に、作業者の安全が十分に確保できる仮設手摺を乗客コンベアのトラスに取り付けるための仮設手摺取付治具を提供することにある。
【課題を解決するための手段】
【０００９】
本発明の実施形態に係る乗客コンベアにおける仮設手摺取付治具は、トラス及び循環駆動する踏段を備えた乗客コンベアに取り付ける仮設手摺取付治具であって、当該仮設手摺取付治具が、トラスに取り付けるためのトラス取付部と、トラスに対して上方に立設する支柱を取り付けるための支柱取付部とを備えたことを特徴とする。
【図面の簡単な説明】
【００１０】
【図１】本発明の実施例１に係る仮設手摺取付治具の取付位置を示す据付時のエスカレータトラス全体を側方から見た概略図である。
【図２】本発明の実施例１に係る仮設手摺取付治具を据付時のエスカレータトラスに取り付けた状態を踏段側から見た概略図である。
【図３】本発明の実施例１に係る仮設手摺取付治具の側面図である。
【図４】本発明の実施例１に係る仮設手摺取付治具の正面図である。
【図５】本発明の実施例１に係る仮設手摺取付治具をトラスに取り付けた状態を示す拡大図であって、図中（ａ）は正面図であり、図中（ｂ）は側面図である。
【発明を実施するための形態】
【００１１】
本発明の実施形態に係る乗客コンベアにおける仮設手摺取付治具は、例としてエスカレータの据付時に建築用仮設材を使用して仮設手摺を構成することができる治具である。
【実施例１】
【００１２】
本実施例に係る仮設手摺取付治具１０は、図１及び図２に示すように、エスカレータをの一部を構成し、踏段Ｆを備えるトラスＴの上端に配設される一対のＬ字型のアングルＬに適宜の間隔をおいて配置されるものである。本実施例において、仮設手摺取付治具１０は、トラスＴの傾斜部におけるアングルＬに５箇所配置されている。
【００１３】
前記仮設手摺取付治具１０は、図３及び図４に示すように、断面がＬ字型の基材１１に固定されたトラスＴに取り付けるためのトラス取付部２０と、トラスＴに対して上方に立設する支柱を取り付けるための支柱取付部３０とを備えている。
【００１４】
前記トラス取付部２０は、図３に示すように、前記アングルＬの水平板部Ｌａを把持する水平把持部２１と、前記アングルＬの垂直板部Ｌｂを把持する垂直把持部２５とを備えている。
【００１５】
前記水平把持部２１は、基材１１における水平支持板１１ａの上面に固定され、水平把持部２１を支承する固定部２２に対して、水平把持部２１に固定されたボルト材２３により、矢符ｐで示す方向に進退可能に構成されている。すなわち、ボルト材２３は、水平把持部２１の進退方向と同方向に取り付けられており、その軸部２３ａが水平把持部２１に固定され、ボルト部２３ｂが図３において左側に露出している。そして、当該ボルト部２３ｂにはナット２４が嵌め込まれており、水平把持部２１は、ボルト部２３ｂに対してナット２４を締めていく方向に回転させると、水平把持部２１は短縮する。逆にボルト部２３ｂに対してナット２４を緩める方向に回転させると、水平把持部２１は伸張する。また、水平把持部２１の自由端である先端には、水平フック部２１ａが設けられていて、図５（ｂ）に示すように、前記アングルＬにおける水平板部Ｌａの水平端である自由端Ｌａ１を把持することができるようになっている。
【００１６】
前記垂直把持部２５は、基材１１における水平支持板１１ａの下面と垂直支持板１１ｂの垂直壁面とに挟まれて固定された三角状の支承部２５ａと、その下方に延設された垂下部２５ｂの自由端である先端に設けた垂直フック部２５ｃとから構成される。前記三角状の支承部２５ａは、水平支持板１１ａと垂直支持板１１ｂとを支承し、強度の荷重が基材１１に掛かっても基材１１が変形しない機能を果たす。さらに、基材１１の補強として補強板材１１ｃが設けられている。そして、前記垂直フック部２５ｃは、図５（ｂ）に示すように、アングルＬの垂直板部Ｌｂの下端である自由端Ｌｂ１を把持する。
【００１７】
上記のようにトラス取付部２０を構成したことにより、垂直把持部２５の垂直フック部２５ｃをアングルＬの垂直板部Ｌｂの自由端Ｌｂ１にフックし、水平把持部２１の水平フック部２１ａをアングルＬの水平部Ｌａの自由端Ｌａ１にフックすれば、トラス取付部２０をアングルＬに取り付けることができる。また、水平把持部２１が長さ調節可能であるために、アングルＬの水平部Ｌａに対してトラス取付部２０の着脱が容易であり、しかも、ナット２４を締めつけることにより、トラス取付部２０はアングルＬに強固に固定することができる。
【００１８】
なお、前記の垂直把持部２５に対しても、水平把持部２１と同様の構造とすることにより、垂直把持部の長さが調節できる構造としてもよい。
【００１９】
前記支柱取付部３０は、前記の基材１１における水平支持板１１ａ、すなわちアングルＬの水平板部Ｌａと反対方向に延設された水平支持板１１ａの上面に筒状体よりなる嵌合筒部３１が立設されてなるものである。当該嵌合筒部３１は、例として建築用仮設材における足場を支持するために使用される丈夫な単管である支柱Ａを嵌合するためのものである。
【００２０】
前記嵌合筒部３１は、その外径は支柱Ａの内径とほぼ等しく構成され、嵌合筒部３１の周面に、周面の一部を除く凹部３２が形成されている。該凹部３２は、嵌合筒部３１の頂部から一定距離の間に形成された広幅凹部３２ａと、該広幅凹部３２ａの下部に連続して形成され、頂部には達しない細幅凹部３２ｂとから構成される。一方、支柱Ａは、その内周面にピンＡ１が設けられており、支柱ＡのピンＡ１は、支柱Ａを嵌合筒部３１に嵌め込んだときに広幅凹部３２ａに入り込み、嵌合筒部３１に対して支柱Ａを回すと広幅凹部３２ａに入り込んだピンＡ１は細幅凹部３２ｂに移行し、支柱Ａは嵌合筒部３１に対して上方に抜け出ないように構成されている。なお、本実施例においては、支柱Ａが踏段Ｆの進行方向に対して直交する方向、すなわちトラスＴのアングルＬに直交する方向に立設するように構成しているが、嵌合筒部を基材１１に対して垂直方向に立設し、嵌合筒部に嵌合した支柱が垂直に立設するように構成してもよい。
【００２１】
上記した構成よりなる仮設手摺取付治具１０は、そのトラス取付部２０を利用して、トラスＴの上端に配設される一対のＬ字型のアングルＬの双方に取り付けると、図２に示す状態となる。そして、当該仮設手摺取付治具１０を、図１に示すように、トラスＴのアングルＬに５箇所設け、それぞれの仮設手摺取付治具１０における嵌合筒部３１を利用して、５本の支柱Ａを嵌合固定して立設し、支柱Ａの中間高さ位置に、踏段Ｆの傾斜と平行になるように、例として前記の単管又は足場用手摺として使用される連結腕Ｂ１を中桟として配置し、支柱Ａの上部に同じく連結腕Ｂ２を仮設手摺として配置すると、図１に示す状態を構築することができる。
【００２２】
上記のように仮設手摺取付治具１０をトラスＴに取り付ける構造とすることで、当該仮設手摺取付治具１０は欄干がガラスパネルタイプでも金属パネルタイプでも共通して使用することが可能であり、例えば建築用仮設材に使用される単管を支柱Ａとして仮設手摺取付治具１０に取り付け、この支柱Ａに連結腕Ｂ１、Ｂ２を取り付けることにより仮設手摺が構成される。また、当該仮設手摺取付治具１０は進退可能な水平把持部２１を備え、当該水平把持部２１はトラスＴの水平板部の自由端Ｌａ１を把持する水平フック部２１ａを有しているため、トラスＴにフックする部分の長さ調節が可能であるので、トラスＴに対して当該仮設手摺取付治具１０の着脱が容易である。しかも、水平把持部２１の長さ調節を可能としたことにより、仮設手摺取付治具１０をトラスＴに確実に固定することができるので、当該仮設手摺取付治具１０を基礎として構成された仮設手摺も安定した状態で固定され、作業者の体重などの荷重が掛かっても十分に支持することができ、安全性が向上する。さらに、水平把持部２１ａの長さを調節するナット２４が仮設手摺取付治具１０の上部に設けられているので、踏段Ｆ上に乗って仮設手摺の構築作業を行うことが容易である。
【００２３】
なお、本実施例はエスカレータを乗客コンベアとして説明したが、動く歩道に対しても適用できるものである。
【００２４】
また、本発明のいくつかの実施形態を説明したが、これら実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００２５】
Ａ…………支柱
Ａ１………支柱のピン
Ｂ１………中桟としての連結腕
Ｂ２………仮設手摺としての連結腕
Ｔ…………トラス
Ｆ…………踏段
Ｌ…………トラス上端に配設されるＬ字型のアングル
Ｌａ………アングルの水平板部
Ｌａ１……アングルの水平板部の自由端
Ｌｂ………アングルの垂直板部
Ｌｂ１……アングルの垂直板部の自由端
１０………仮設手摺取付治具
１１………基材
１１ａ……基材の水平支持板
１１ｂ……基材の垂直支持板
１１ｃ……補強板材
２０………トラス取付部
２１………トラス取付部の水平把持部
２１ａ……水平把持部の水平フック部
２２………水平把持部を支承する固定部
２３………水平把持部のボルト材
２３ａ……ボルト材の軸部
２３ｂ……ボルト材のボルト部
２４………ナット
２５………トラス取付部の垂直把持部
２５ａ……三角状の支承部
２５ｂ……垂下部
２５ｃ……垂直フック部
３０………支柱取付部
３１………嵌合筒部
３２………嵌合筒部の周面凹部
３２ａ……嵌合筒部の広幅凹部
３２ｂ……嵌合筒部の細幅凹部
【図１】
0005642209.tif 000002
【図２】
0005642209.tif 000003
【図３】
0005642209.tif 000004
【図４】
0005642209.tif 000005
【図５】
0005642209.tif 000006